(57)【要約】  【課題】底抜けを起こさないカートンを提供する。  【解決手段】カートンは，対向する正面パネル13および背面パネル11と，正面パネルおよび背面パネルの両側縁のそれぞれを結ぶ側面パネル12，14とを備えている。カートンは，背面パネル11の下端に連続して設けられ，内側に直角に折り曲げられる内側底面パネル31と，正面パネル13の下端に連続して設けられ，内側に直角に折り曲げられて内側底面パネル31の外面に重ねられる外側底面パネル32と，外側底面パネル32の先端に連続して設けられ，内側に折り曲げられて背面パネル11と内側底面パネル31の境界に形成されたスリットＫ２からカートン内部に向けて差し込まれ，折り返されることでカートン内部において上記内側底面パネル31上に重ねられる折返しパネル33とを備えている。【選択図】図６
2018177249.tif 000002
【特許請求の範囲】
【請求項１】
対向する正面パネルおよび背面パネルと，上記正面パネルおよび背面パネルの両側縁のそれぞれを結ぶ側面パネルとを備えるカートンであって，
上記背面パネルの下端に連続して設けられ，内側に直角に折り曲げられる内側底面パネルと，
上記正面パネルの下端に連続して設けられ，内側に直角に折り曲げられて上記内側底面パネルの外面に重ねられる外側底面パネルと，
上記外側底面パネルの先端に連続して設けられ，内側に折り曲げられて上記背面パネルと上記内側底面パネルの境界に形成された第１スリットからカートン内部に向けて差し込まれ，カートン内部において折り返されることで上記内側底面パネル上に重ねられる折返しパネルと，
を備えている，カートン。
【請求項２】
上記折返しパネルの先端に係合突起が形成されており，
上記係合突起が，上記正面パネルと上記外側底面パネルの境界に形成された第２スリットからカートン外部に向けて差し込まれ，上記第２スリットに係止されている，
請求項１に記載のカートン。
【発明の詳細な説明】
【技術分野】
【０００１】
この発明はカートン（箱体，包装容器），特に底が抜けることがないカートンに関する。
【背景技術】
【０００２】
板紙を組み立てることによって形成されるカートンは，カートン内に収納される収納物が重いと底が抜けてしまうことがある。
【０００３】
カートンの底が抜けないようにするための一般的な方法は，底部を形成するパネルを糊貼りすることである。特許文献１，２では，前板に連続し，前板から後板に向けて折られる底板と，後板に連続し，後板から前板に向けて折られる底板とを重ね合わせて糊貼りすることによって，カートンの底部の強化を図っている。
【先行技術文献】
【特許文献】
【０００４】
【特許文献１】特開２００９−１６６８７９号公報
【特許文献２】特開２０１５−７７９８０号公報
【発明の概要】
【発明が解決しようとする課題】
【０００５】
特許文献１，２のいずれについても，糊貼り強度が不足していると，または重量の大きい内容物が収納されると，２つの底板が押し開かれるようにして底抜けを起こすことがある。
【０００６】
この発明は，底抜けを起こさないカートンを提供することを目的とする。
【０００７】
この発明はまた，糊貼りせずとも，底抜けを起こさないようにすることを目的とする。
【課題を解決するための手段】
【０００８】
この発明によるカートンは，対向する正面パネルおよび背面パネルと，上記正面パネルおよび背面パネルの両側縁のそれぞれを結ぶ側面パネルとを備え，上記背面パネルの下端に連続して設けられ，内側に直角に折り曲げられる内側底面パネルと，上記正面パネルの下端に連続して設けられ，内側に直角に折り曲げられて上記内側底面パネルの外面に重ねられる外側底面パネルと，上記外側底面パネルの先端に連続して設けられ，内側に折り曲げられて上記背面パネルと上記内側底面パネルの境界に形成された第１スリットからカートン内部に向けて差し込まれ，カートン内部において折り返される（折り畳まれる）ことで上記内側底面パネル上に重ねられる折返しパネルと，を備えている。折返しパネルは，背面パネルと内側底面パネルの境界に形成された第１スリットからカートン内部に差し込まれるので，背面パネルと内側底面パネルの境界（稜線）の長さよりも狭い（短い）幅（長さ）を持つのは言うまでもない。
【０００９】
この発明によると，背面パネルの下端に連続し，直角に折られて背面から正面に向かう内側底面パネルが，正面パネルの下端に連続し，直角に折られて内側底面パネルの外面に重ねられ，正面から背面に向かう外側底面パネルと，外側底面パネルの先端に連続し，カートン内部において折り返されて背面から正面に向かい，内側底面パネル上に重ねられる折返しパネルとによって挟まれる。このため，カートン内に収納された内容物の重さがカートン底部に加わったとしても，折返しパネル，内側底面パネルおよび外側底面パネルが押し開かれてしまうことがなく，底抜けが生じることはない。また，底部の形成に糊貼りが用いられないので，カートン内への内容物の収納現場（たとえば店頭）における底部組立が可能である。筒状に組み立てる前の嵩張らない状態のカートンを流通させることができる。
【００１０】
一実施態様では，上記折返しパネルの先端に係合突起が形成されており，上記係合突起が，上記正面パネルと上記外側底面パネルの境界に形成された第２スリットからカートン外部に向けて差し込まれ，上記第２スリットに係止されている。折返しパネルを折返す（内側底面パネル上に重ね合わせる）だけでロックがかかり，底部の閉鎖状態（外側底面パネルと折返しパネルとによって，内側底面パネルを挟んだ状態）を維持することができる。
【図面の簡単な説明】
【００１１】
【図１】カートンのブランクである。
【図２】カートンの斜視図である。
【図３】カートンの組立の様子を示す斜視図である。
【図４】カートンの底部の組立の様子を示す一部拡大斜視図である。
【図５】組立後のカートンの底部を示す一部拡大斜視図である。
【図６】図５のVI−VI線に沿う，組立後のカートンの底部を示す一部拡大断面図である。
【実施例】
【００１２】
図１のブランク１Ａは板紙を打ち抜くことで形成される。板紙に代えて，段ボール，プラスチックシート等を用いることもできる。ブランク１Ａは，横方向に連続して設けられる背面パネル11，左側面パネル12，正面パネル13および右側面パネル14を備える。背面パネル11の上端に天面パネル21が連続し，天面パネル21の上端にはさらに差込みフラップ22が連続している。背面パネル11の下端には内側底面パネル31が，左端には糊代パネル15がそれぞれ連続している。正面パネル13の上端中央には幅狭の差込み片23が，下端には外側底面パネル32がそれぞれ連続している。外側底面パネル32の下縁には外側底面パネル32よりも幅狭（短い長さ）の折返しパネル33が連続している。折返しパネル33の先端には小さい矩形の係合突起34が外向きに突出して形成されている。左側面パネル12および右側面パネル14のそれぞれの上端にはフラップ24が，下端にはフラップ35が，それぞれ連続している。
【００１３】
これらの背面パネル11，左側面パネル12，正面パネル13，右側面パネル14，糊代パネル15，天面パネル21，差込みフラップ22，差込み片23，内側底面パネル31，外側底面パネル32，折返しパネル33，フラップ24，35は，鎖線で示す折り線によって区画される。カートンの組立工程において折り易くするために，ブランクの打抜き工程において折り線に沿って折り罫をつけておくとよい。
【００１４】
折返しパネル33を除いて，背面パネル11，左側面パネル12，正面パネル13，右側面パネル14，糊代パネル15，天面パネル21，差込みフラップ22，差込み片23，内側底面パネル31，外側底面パネル32，フラップ24，35は，一点鎖線に沿って直角に山折りされる。折返しパネル33については，直角に折られるのではなく，折り返される（１８０度折られる）。折返しパネル33が折り返される箇所の折り線38のみを二点鎖線で示す。折返しパネル33が折り返される様子については後述する。
【００１５】
ブランク１Ａにはさらに，３箇所の差込み用スリット（切込み）Ｋ１，Ｋ２，Ｋ３が形成されている。
【００１６】
差込み用スリットＫ１は，天面パネル21と差込みフラップ22との境界の折り線上（わずかに差込みフラップ22がわ）のほぼ中央に比較的短い距離で形成されている。差込み用スリットＫ１は，正面パネル13の上端に連続する差込み片23を差し込むためのもので，その幅（両端間の長さ）は差込み片23の幅（左右端の間の長さ）にほぼ等しい。
【００１７】
差込み用スリットＫ２は，背面パネル11と内側底面パネル31との境界の折り線上（わずかに内側底面パネル31がわ）に比較的長い長さにわたって形成されている。差込み用スリットＫ２は，外側底面パネル32の下端に連続する折返しパネル33を差し込むためのもので，その幅（両端間の長さ）は折返しパネル33の幅（左右端の間の長さ）にほぼ等しい。
【００１８】
差込み用スリットＫ３は，正面パネル13と外側底面パネル32との境界の折り線上（わずかに正面パネル13がわ）のほぼ中央に比較的短い距離で形成されている。差込み用スリットＫ３は，折返しパネル33の先端の係合突起34を差し込むためのもので，その幅（両端間の長さ）は係合突起34の幅（左右端の長さ）にほぼ等しい。
【００１９】
正面パネル13にはさらに，正面パネル13の上端に連続する差込み片23の左右端に連続する一対の切込みＫ５が形成されている。切込みＫ５は，差込み片23を差込み用スリットＫ１に差込みやすくするためのものである。
【００２０】
図２および図３を参照して，上述したブランク１Ａを用いてカートン１Ｂを組立てる。糊代パネル15を右側面パネル14の内面に貼り合わせ，これを起函することによって糊代パネル15，背面パネル11，左側面パネル12，正面パネル13および右側面パネル14がそれらの隣接するものの間で直角に折り曲げられ，天部および底部が開放した角筒状の胴部が形成される。
【００２１】
底部が閉鎖される。図３，図４を参照して，左右のフラップ35を内側に直角に折り曲げ，次に背面パネル11の下端に連続する内側底面パネル31を内側に直角に折り曲げる。次に，折返しパネル33を折り線38において直角を超える角度にまで内側に折り曲げて差込み用スリットＫ２に差込みつつ，正面パネル13の下端に連続する外側底面パネル32を内側に直角に折り曲げる。図５および図６を参照して，最後に，スリットＫ２から差し込んだ折返しパネル33を折り線38においてカートン内部で折り返す（１８０度折り曲げる）。折り返された折返しパネル33の先端の係合突起34が差込み用スリットＫ３に差し込まれて係合される。底部の閉鎖が完成する。
【００２２】
底部の閉鎖の後，上部開口からカートン内に内容物が収納される。図３および図４を参照して，フラップ24を内側に直角に折り曲げ，天面パネル21および差込みフラップ22を内側に直角に折り曲げ，差込みフラップ22をカートン内に差し込む。最後に，切込みＫ５を利用して内側に直角に折り曲げた差込み片23を差込み用スリットＫ１に差込む。天部の閉鎖が完成する。
【００２３】
図６を参照して，背面パネル11に連続し直角に折られて背面パネル11がわから正面パネル13がわに向かう内側底面パネル31が，正面パネル13に連続し直角に折られて正面パネル13から背面パネル11に向かう外側底面パネル32と，カートン内において折り線38で折り返されることで背面パネル11がわから正面パネル13がわに向かう折返しパネル33とによって挟まれる。カートン内に収納された内容物の重さが加わったとしても，折返しパネル33，内側底面パネル31および外側底面パネル32は押し開かれてしまうことがなく，底抜けが生じることはない。また，底部の形成（閉鎖）および天部の形成（閉鎖）に糊貼りが用いられないので，内容物の収納現場，たとえば店頭において，底部および天部を閉鎖することができる。筒状に組み立てる前の嵩張らない状態のカートンを，流通させることができる。
【００２４】
上述した底部の構造は，幅広の（正面パネル13および背面パネル11の左右端の間の長さが長い）カートンに特に適している。上述した実施例では外側底面パネル32に一つの折返しパネル33が連設されているが，より幅広のカートンであれば，複数，たとえば２つの折返しパネルを，間隔をあけて外側底面パネル32に連設してもよい。
【符号の説明】
【００２５】
１Ａ  ブランク
１Ｂ  カートン
11  背面パネル
12  左側面パネル
13  正面パネル
14  右側面パネル
21  天面パネル
31  内側底面パネル
32  外側底面パネル
33  折返しパネル
Ｋ１，Ｋ２，Ｋ３  差込み用スリット
【図１】
2018177249.tif 000003
【図２】
2018177249.tif 000004
【図３】
2018177249.tif 000005
【図４】
2018177249.tif 000006
【図５】
2018177249.tif 000007
【図６】
2018177249.tif 000008